(57)【要約】【課題】上下方向に延びる取付面に取り付けられている場合に、本体ケーシングとファイバトレイとの間の所定の収納位置に機器ユニットを確実にかつ簡単に収納する。【解決手段】上下方向に延びる取付面Ｐに固定される本体ケーシング２に対し、ファイバトレイ３を、それの上部が下部より前側に位置するように一定角度だけ傾斜させた状態で、ファイバトレイ３と本体ケーシング２との間に形成される空間部Ｓを通じて、放送系の機器ユニット６を挿入することにより、所定の収納位置に収納する。ファイバトレイ３の支持板部３ａに前記挿入方向に沿って延びる案内凸部３ｂを、放送系の機器ユニット６の側面部８Ａｂに案内凸部３ｂが移動可能に係合する案内凹部１３をそれぞれ形成し、前記挿入の際にそれらを係合させることで、所定の収納位置への案内を行う。【選択図】  図３
2006301327.tif 000002
【特許請求の範囲】
【請求項１】
上下方向に延びる取付面に背面部が取り付けられ前面が開放される本体ケーシングと、この本体ケーシングの前面側を覆うファイバトレイと、前記本体ケーシングとファイバトレイとの間に収納される機器ユニットとを備え、前記本体ケーシングとファイバトレイとが、前記本体ケーシングに対し前記ファイバトレイを一定角度だけ傾斜可能に、それらの下部において回転可能に結合され、前記本体ケーシングに対し前記ファイバトレイを一定角度だけ前側に傾斜させた状態で、前記ファイバトレイと前記本体ケーシングとの間の空間部を通じて、前記機器ユニットが着脱可能に収納される光受信機のユニット収納構造において、
前記ファイバトレイは、後側に、前記機器ユニットの幅に対応する間隔でもって一対の支持板部が平行に設けられ、
前記ファイバトレイの支持板部と前記機器ユニットの側面部との間に、前記本体ケーシングに対し前記ファイバトレイを一定角度だけ前側に傾斜させた状態で、前記ファイバトレイと前記本体ケーシングとの間の空間部を通じて、前記機器ユニットを挿入する際に、前記機器ユニットを所定の収納位置まで案内する案内手段が設けられていることを特徴とする光受信機のユニット収納構造。
【請求項２】
前記案内手段は、前記ファイバトレイの支持板部に形成され前記挿入の方向に沿って延びる案内凸部あるいは案内凹部と、前記機器ユニットの側面部に形成され前記案内凸部あるいは案内凹部に移動可能に係合する案内凹部あるいは案内凸部とを有することを特徴とする請求項１記載の光受信機のユニット収納構造。
【請求項３】
前記案内手段は、前記案内凹部が形成される前記支持板部または側面部に、前記案内凸部が、前記案内凹部に係合する以外の方向に進入するのを規制する障害凸部を有することを特徴とする請求項２記載の光受信機のユニット収納構造。
【請求項４】
前記機器ユニットのケーシングは、両側が開口する角筒状の本体枠と、この本体枠の両側の開口を閉塞する２つの蓋部材とを有し、前記各蓋部材の周縁に設けられる複数の係止爪部が、前記本体枠に係止されることでそれらが結合されるもので、
前記支持板部に形成されるのは案内凸部である一方、前記機器ユニットに形成されるのは案内凹部であり、この案内凹部は、前記機器ユニットの側面部であって下端部側に形成される突条部と、この突条部に対向する一方の前記蓋部材の係止爪部との間に形成されることを特徴とする請求項２または３記載の光受信機のユニット収納構造。
【請求項５】
前記突条部は、前記下端部側の端部から他方の前記蓋部材の係止爪部付近まで延びている延長凸部を有することを特徴とする請求項４記載の光受信機のユニット収納構造。
【請求項６】
前記ファイバトレイと前記本体ケーシングとの間には、複数個の機器ユニットが並んで着脱可能に収納可能であることを特徴とする請求項１〜５のいずれかに記載の記載の光受信機のユニット収納構造。
【発明の詳細な説明】
【技術分野】
【０００１】
本発明は、光受信機のユニット収納構造に関するものである。
【背景技術】
【０００２】
従来より、屋外からの光ファイバを屋内に引き込むための装置として、光受信機（ＦＴＴＨ端末機）が知られている（例えば、特許文献１参照）。この光受信機は、放送系の光ファイバにて入力される光信号を光受信増幅部にて電気信号に変換し増幅して出力するものである。そして、この光受信機として、上下方向に延びる壁面などの取付面に取り付けられるものが知られている。
【０００３】
このような光受信機の具体的な構造として、上下方向に延びる取付面に背面部が取り付けられ前面が開放される本体ケーシングと、この本体ケーシングの前面側を覆うファイバトレイと、前記本体ケーシングとファイバトレイとの間に収納される放送系の機器ユニットとを備えるものが考えられる。この光受信機においては、前記本体ケーシングとファイバトレイとが、前記本体ケーシングに対し前記ファイバトレイを一定角度だけ傾斜可能に、それらの下部において回転可能に結合され、前記本体ケーシングに対し前記ファイバトレイを一定角度だけ前側に傾斜させた状態で、前記ファイバトレイと前記本体ケーシングとの間の空間部を通じて、前記放送系の機器ユニットが着脱可能に収納される。
【０００４】
ここで、前記本体ケーシングとファイバトレイとが、前記本体ケーシングに対し前記ファイバトレイを一定角度だけ傾斜可能に、それらの下部において回転可能に結合されているのは、次の理由からである。前記本体ケーシングにおいては、それの下部に筒状部が形成され、その筒状部内に前記放送系の機器ユニットの出力端子あるいはモニタ端子が位置するように前記放送系の機器ユニットが収納され、それら端子に同軸ケーブルが接続され、その同軸ケーブルが、前記筒状部を通じて下方に垂れ下がるように延びる構成となる。そのため、ファイバトレイを、本体ケーシングに対し大きな角度で傾斜させようとすると、前記端子あるいは同軸ケーブルが筒状部と干渉して損傷するおそれがあるからである。
【特許文献１】特開２００４−２５１９６８号公報（段落００２０〜００２２及び図１１）
【発明の開示】
【発明が解決しようとする課題】
【０００５】
前述した光受信機では、保守・点検作業、あるいは故障の修理作業の際に、本体ケーシングに対しファイバトレイを一定角度だけ前側に傾斜させた状態で、取り外した前記放送系の機器ユニットを、上部に形成される本体ケーシングとファイバトレイとの間の空間部を通じて放送系の機器ユニットを取り付けたり取り外したりする必要がある。しかしながら、そのような一定角度だけ前側に傾斜させた状態では、本体ケーシングとファイバトレイとの間の奥の方がよく見えず、放送系の機器ユニットを、それらの間の所定の収納位置にうまく収納することが困難である。特に、前記光受信機は、上下方向に延びる壁面などの取付面に取り付けられるので、その取付高さが高いと、前記放送系の機器ユニットの挿入作業の際に、本体ケーシングとファイバトレイとの間の奥の方がほとんど見ることができず、前述した保守・点検作業などを非常に行いにくい。
【０００６】
この発明は、上下方向に延びる取付面に取り付けられている場合に、放送系の機器ユニットを、所定の収納位置に確実にかつ簡単に収納することができる光受信機のユニット収納構造を提供することを目的とする。
【課題を解決するための手段】
【０００７】
請求項１の発明は、上下方向に延びる取付面に背面部が取り付けられ前面が開放される本体ケーシングと、この本体ケーシングの前面側を覆うファイバトレイと、前記本体ケーシングとファイバトレイとの間に収納される機器ユニットとを備え、前記本体ケーシングとファイバトレイとが、前記本体ケーシングに対し前記ファイバトレイを一定角度だけ傾斜可能に、それらの下部において回転可能に結合され、前記本体ケーシングに対し前記ファイバトレイを一定角度だけ前側に傾斜させた状態で、前記ファイバトレイと前記本体ケーシングとの間の空間部を通じて、前記機器ユニットが着脱可能に収納される光受信機のユニット収納構造において、前記ファイバトレイは、後側に、前記機器ユニットの幅に対応する間隔でもって一対の支持板部が平行に設けられ、前記ファイバトレイの支持板部と前記機器ユニットの側面部との間に、前記本体ケーシングに対し前記ファイバトレイを一定角度だけ前側に傾斜させた状態で、前記ファイバトレイと前記本体ケーシングとの間の空間部を通じて、前記機器ユニットを挿入する際に、前記機器ユニットを所定の収納位置まで案内する案内手段が設けられていることを特徴とする。ここで、「機器ユニット」は、通信系の機器ユニットである場合も放送系の機器ユニットである場合も含まれる。
【０００８】
このようにすれば、前記本体ケーシングに対し前記ファイバトレイを一定角度だけ前側に傾斜させた状態で、前記ファイバトレイと前記本体ケーシングとの間の空間部を通じて、前記機器ユニットを挿入する際に、前記機器ユニットが、前記ファイバトレイの支持板部と前記機器ユニットの側面部との間に設けられている案内手段によって所定の収納位置までスムーズに案内される。よって、前記本体ケーシングに対し前記ファイバトレイを一定角度だけ前側に傾斜させた状態で、前記本体ケーシングと前記ファイバトレイとの間の奥の方を見ることができなくても、案内手段による案内によって機器ユニットを所定の収納位置に確実に収納することができる。
【０００９】
請求項２に記載のように、前記案内手段は、前記ファイバトレイの支持板部に形成され前記挿入の方向に沿って延びる案内凸部あるいは案内凹部と、前記機器ユニットの側面部に形成され前記案内凸部あるいは案内凹部に移動可能に係合する案内凹部あるいは案内凸部とを有する構成とすることができる。
【００１０】
このようにすれば、ファイバトレイの支持板部における案内凸部あるいは案内凹部と、前記機器ユニットの側面部における案内凹部あるいは案内凸部との係合関係を利用することで、前記機器ユニットを所定の収納位置まで案内して、スムーズに収納することが可能となる。よって、案内凸部と案内凹部との係合関係を利用する簡単な構造によって、案内手段を構成することができる。
【００１１】
請求項３に記載のように、前記案内手段は、前記案内凹部が形成される前記支持板部または側面部に、前記案内凸部が、前記案内凹部に係合する以外の方向に進入するのを規制する障害凸部を有することが望ましい。
【００１２】
このようにすれば、障害凸部によって、案内凸部が前記案内凹部に係合する以外の方向に進入するのが規制される。よって、誤った位置に収納されるのが回避される。
【００１３】
請求項４に記載のように、前記機器ユニットのケーシングは、両側が開口する角筒状の本体枠と、この本体枠の両側の開口を閉塞する２つの蓋部材とを有し、前記各蓋部材の周縁に設けられる複数の係止爪部が、前記本体枠に係止されることでそれらが結合されるもので、前記支持板部に形成されるのは案内凸部である一方、前記機器ユニットに形成されるのは案内凹部であり、この案内凹部は、前記機器ユニットの側面部であって下端部側に形成される突条部と、この突条部に対向する一方の前記蓋部材の係止爪部との間に形成される構成とすることができる。
【００１４】
このようにすれば、機器ユニットの側面部の突条部と、この突条部に対応する蓋部材の複数の係止爪部を利用して、案内凹部を簡単に構成することができる。
【００１５】
請求項５に記載のように、前記突条部は、前記下端部側の端部から他方の前記蓋部材の係止爪部付近まで延びている延長凸部を有する構成とすることができる。
【００１６】
このようにすれば、機器ユニットを挿入する際、案内凹部以外の部位へ案内凸部が進入しようとしても、前記延長凸部がその進入を妨げる障害物として機能するので、案内凹部以外の部位へ、案内凸部が進入することが回避される。よって、機器ユニットを挿入する際には、案内凹部へ案内凸部が確実に進入することとなり、前記機器ユニットは所定の収納位置まで案内されて収納されることになる。
【００１７】
請求項６に記載のように、前記ファイバトレイと前記本体ケーシングとの間には、複数個の機器ユニットが並んで着脱可能に収納可能である構成とすることもできる。ここで、複数個の機器ユニットは、放送系の機器ユニットと通信系の機器ユニットとの組み合わせもあるし、放送系の機器ユニット同士、通信系の機器ユニット同士の組み合わせもある。また、「収納可能である」とは、例えば、２つの機器ユニットを収納できるスペースがある場合に、１つの機器ユニットのみが収納され、後から別の機器ユニットを追加収納できる場合を含む。
【００１８】
このようにすれば、取付面に取り付けられた状態で、１つの機器ユニットを、残りの機器ユニットを収納状態としたまま、取り外し、保守点検などの後に所定の収納位置に確実にかつ簡単に収納することができる。また、新しい機器ユニットを追加収納する場合も、同様に所定の収納位置に確実にかつ簡単に収納することができる。
【発明の効果】
【００１９】
以上のように、本発明は、前記ファイバトレイの支持板部と前記機器ユニットの側面部との間に案内手段を設けているので、本体ケーシングに対しファイバトレイを一定角度だけ前側に傾斜させた状態で、前記ファイバトレイと前記本体ケーシングとの間の空間部を通じて、機器ユニットを挿入する際に、前記案内手段によって所定の収納位置まで確実に案内することができる。よって、保守・点検作業、あるいは故障の修理作業のために前記機器ユニットを引き出した後、前記機器ユニットを所定の収納位置に戻す挿入作業を簡単に行うことができ、作業性が向上する。
【発明を実施するための最良の形態】
【００２０】
以下、本発明の実施の形態を図面に沿って説明する。
【００２１】
図１は本発明に係る光受信機の断面図、図２は光受信機のケーシングカバーが開放された状態の正面図、図３は放送系の機器ユニットを取り外した状態の断面図である。
【００２２】
図１〜図３に示すように、光受信機１は、前面（図１においては左側が前側）が開放される本体ケーシング２と、この本体ケーシング２の前記前面側に覆うファイバトレイ３と、このファイバトレイ３の前面側を開閉可能に覆うケーシングカバー４とを備える。ケーシングカバー４は、本体ケーシング２の上面部には一対の枢支部２Ａが設けられ、この枢支部２Ａに前記ケーシングカバー４が回転可能に支持されている。よって、ケーシングカバー４を上方へ回転させることで、ファイバトレイ３の前面側が開放される。
【００２３】
本体ケーシング２は、壁面などの、上下方向に延びる取付面Ｐに取り付けられる。本体ケーシング２とファイバトレイ３との間に、通信系の機器ユニット５と、電力を供給する
電源部を含み（放送系の）光信号を電気信号に変換し増幅して出力する放送系の機器ユニット６とが並んで着脱可能に収納されている。なお、ファイバトレイ３には、機器ユニット５，６の収納状態で、機器ユニット５，６の一部が前面側から見える開口部３Ａ，３Ｂが形成されている。
【００２４】
放送系の機器ユニット６は、このユニット６の光受信増幅部に光信号を受光するための光中継用アダプタ７を有し、この光中継用アダプタ７はユニット６のケーシング８（シールドケース）の上面に、支持部材１５を介して取り付けられている。この光中継用アダプタ７や支持部材７は、機器ユニット６が所定の収納位置に収納された状態では、ファイバトレイ３の開口部３Ｂ内に位置するようになっている。光中継用アダプタ７を介して入力された光信号は、機器ユニット６内の光受信増幅部において電気信号に変換され、増幅される。この増幅された電気信号は、ケーシング８の下面部に設けられた出力端子９から出力される。この出力端子９から出力される電気信号をモニタするモニタ端子１０が、ケーシング８の下面部に出力端子９と並列に設けられている。なお、電気信号はテレビ放送信号であり、この電気信号は出力端子９から同軸ケーブル１１を介してテレビ受信機などに供給される。
【００２５】
本体ケーシング２の下面部には、出力端子９及びモニタ端子１０がそれぞれ挿通される筒状部２ａ，２ｂが形成されている。１２は筒状部２ａ，２ｂに取り付けられる防滴キャップである。
【００２６】
本体ケーシング２およびファイバトレイ３の下面部には、放送系の光ファイバあるいは通信系の光ファイバが導入される切り欠き部２ｃ，３ｃ（本実施の形態では３個）が、相互に対応して形成されている。
【００２７】
本体ケーシング２とファイバトレイ３とは、図３に示すように、本体ケーシング２に対しファイバトレイ３を一定角度だけ傾斜可能に、それらの下側縁部において回転可能に結合されている。なお、本体ケーシング２に対しファイバトレイ３が回転する回転軸を、図３において、符号Ａで示す。ここで、ファイバトレイ３の回転が許容される角度範囲を一定角度に制限しているのは、前述したように、ファイバトレイ３を前側に傾斜させたときに、筒状部２ａ，２ｂに端子９，１０あるいは同軸ケーブル１１が干渉して、それらが損傷するのを回避するためである（図５参照）。
【００２８】
機器ユニット５，６は、ファイバトレイ３の後面側にその後面に沿って配置された状態で、所定の収納位置に収納される。このユニットの収納は、上下方向に延びる取付面Ｐに固定される本体ケーシング２に対し、ファイバトレイ３を、それの上部が下部より前側に位置するように一定角度だけ傾斜させた状態で、ファイバトレイ３の上部と本体ケーシング２の上部との間に形成される空間部Ｓを通じて、上側から挿入することにより、所定の収納位置に収納される構成とされている。
【００２９】
放送系の機器ユニット６のケーシング８は、図４に示すように、両側が開口する角筒状の本体枠８Ａと、この本体枠８Ａの両側の開口部分を閉塞する２つの蓋部材８Ｂ，８Ｃとを有する。各蓋部材８Ｂ，８Ｃの周縁に設けられる複数の係止爪部８Ｂａ，８Ｃａが、本体枠８Ａの被係止凸部８Ａａに係合することでそれらが結合され、ケーシング８とされる構成とされる。
【００３０】
また、ファイバトレイ３は、図３に示すように、下部の後面側（本体ケーシング２側の面）に、放送系の機器ユニット６の幅に対応する間隔でもって平行に延びる一対の支持板部３ａが設けられ、支持板部３ａに前記挿入の方向に沿って延びる案内凸部３ｂが形成される。一方、放送系の機器ユニット６の、支持板部３ａに対応する（本体枠８Ａの）側面
部８Ａｂに、案内凸部３ｂに係合する案内凹部１３が形成されている。
【００３１】
この案内凹部１３は、側面部８Ａｂであって下端部側に形成される突条部１４Ａと、この突条部１４Ａに対向する一方の蓋部材８Ｃの複数（本実施の形態では３個）の係止爪部８Ｃａとによってそれらの間に形成される。突条部１４Ａは、蓋部材８Ｃの各係止爪部８Ｃａの先端を結んだ線Ｌに平行に延びている。
【００３２】
突条部１４Ａの下端部に、他方の蓋部材８Ｂの係止爪部８Ｂａ付近まで延びる延長凸部１４Ｂが設けられている。この延長凸部１４Ｂは、前述した機器ユニット６の挿入の際に、案内凸部３ｂが案内凹部１３に係合する以外の方向に進入するのを規制する障害物（障害凸部）として機能する。なお、突条部１４Ａおよび延長凸部１４Ｂは、側面部８Ａｂを構成する板材を切り起こして形成される。
【００３３】
よって、放送系の機器ユニット６の保守・点検作業、あるいは故障の修理作業の際に、放送系の機器ユニット６を、本体ケーシング２とファイバトレイ３との間から引き出す場合には、まず、図５に示すように、ファイバトレイ３を回転軸Ａ回りに前側に回転させ、ファイバトレイ３を上開き状態で一定角度だけ前側に傾斜させる。このように本体ケーシング２に対しファイバトレイ３を一定角度だけ前側に傾斜させた状態で、ファイバトレイ３と本体ケーシング２との間に空間部Ｓ（隙間）が形成されるので、その空間部Ｓを通じて、上側から放送系の機器ユニット６を引き出すことができる。
【００３４】
また、作業終了後、所定の収納位置に挿入して戻す場合には、ファイバトレイ３と本体ケーシング２との間の奥の方が、作業者には見えにくいが、（光中継用アダプタ７がファイバトレイ３の開口部３Ｂ内に位置させるように調整しながら）ファイバトレイ３の後面を沿わしつつ機器ユニット６を（ファイバトレイ３と本体ケーシング２との間の空間部Ｓを通じて）挿入することで、案内凸部３ｂと、蓋部材８Ｃの係止爪部８Ｃａを利用した案内凹部１３とが係合するようになり、放送系の機器ユニット６を所定の収納位置にスムーズに収納することが可能となる。
【００３５】
とくに、突条部１４Ａの下端部に、上蓋部材８Ｂの係止爪部８Ｂａ付近まで延びている延長凸部１４Ｂを設けているので、放送系の機器ユニット６を挿入する際、案内凹部１３以外の部位へ案内凸部３ｂが進入しようとしても、延長凸部１４Ｂによってその進入が妨げられる。よって、放送系の機器ユニット６を、挿入方向を誤って取り付けるおそれがなくなり、案内凹部１３へ案内凸部３ｂが確実に進入することになる。そして、それらの係合関係で、放送系の機器ユニット６が所定の収納位置に確実に収納される。
【００３６】
本発明は、前記実施の形態に限定されるものではなく、次のように変更することも可能である。
【００３７】
(i)放送系の機器ユニット６の支持板部３ａの案内凸部３ｂを、本体枠８Ａ（ケーシン
グ８）の側面部８Ａｂに案内凹部１３を形成しているが、逆に、放送系の機器ユニット６の支持板部３ａに案内凹部を、本体枠８Ａの側面部８Ａｂに案内凸部を形成することも可能である。
【００３８】
(ii)ファイバトレイ３の一対の支持板部３ａは、左右同一形状である必要はなく、案内凹部１３に係合する案内凸部３ｂを有する形状であればよい。
【００３９】
(iii)両機器ユニット５，６の間の支持板部３ａは、各機器ユニットに対し別々に２枚
設けてもよいし、２つの機器ユニットで共有するように１枚設けるようにしてもよい。支持板部を共有する場合には、支持板部の両側面それぞれに機器ユニットの挿入方向に沿っ
て延びる案内凸部が形成される。
【００４０】
(iv)突条部などは必ずしも設ける必要はなく、例えば、係止爪部８Ｂａのいくつかを、図４（ａ）（ｂ）に二点鎖線で示すように延ばして、係止爪部８Ｂａと係止爪部８Ｃａとの間に案内凹部を形成することも可能である。
【００４１】
(v)通信系の機器ユニットおよび放送系の機器ユニット６の２個の機器ユニットを並ん
で着脱可能収納するようにしているが、両方とも通信系の機器ユニットあるいは放送系の機器ユニットとすることもできる。また、１個の機器ユニットを着脱可能に収納する場合あるいは３個以上の機器ユニットを並んで着脱可能に収納する場合にも同様に適用することが可能である。
【図面の簡単な説明】
【００４２】
【図１】本発明に係る光受信機の断面図である。
【図２】光受信機のケーシングカバーが開放された状態の正面図である。
【図３】放送系の機器ユニットを取り外した状態の断面図である。
【図４】放送系の機器ユニットの下端部付近を示し、（ａ）は側面図、（ｂ）は底面図、（ｃ）は図５（ａ）のＡ−Ａ線における断面図である。
【図５】放送系の機器ユニットを収納した状態の断面図である。
【図６】放送系の機器ユニットの下端部付近を示す斜視図である。
【符号の説明】
【００４３】
１    光受信機
２    本体ケーシング
３    ファイバトレイ
３ａ    支持板部
３ｂ    案内凸部
６    放送系の機器ユニット
７    光中継用アダプタ
８    ケーシング
８Ａｂ    側面部
８Ｃａ    係止爪部
１３    案内凹部
１４Ａ    突条部
１４Ｂ    延長凸部
【図１】
2006301327.tif 000003
【図２】
2006301327.tif 000004
【図３】
2006301327.tif 000005
【図４】
2006301327.tif 000006
【図５】
2006301327.tif 000007
【図６】
2006301327.tif 000008